(57)【要約】【課題】  源泉から汲み上げられた温泉水を複数の需要者に均等に分配でき、しかもランニングコストがかからず経済的で、装置構成も簡単な温泉水分配装置を提供する。【解決手段】  放水口１６から流れ落ちる温泉水を天井蓋１１付きの貯留槽１２に貯留し、複数の排水口２１に均等に分配する温泉水分配装置１０であって、貯留槽１２内に上流側から下流側にかけて、貯留槽１２の底部２５から立ち上がり上端が水平となった下側邪魔板２２、２４と、貯留槽１２の底部２５とは隙間３６を有し下側邪魔板２２、２４より上位置に配置された上側邪魔板２３を交互に配置し、放水口１６から排水口２１に向かう水路をジグザグに形成し、しかも、貯留槽１２の下流側に配置される複数の排水口２１を実質的に同一口径とすると共に、複数の排水口２１を同一高さ位置に配置した。【選択図】        図１
2006016026.tif 000002
【特許請求の範囲】
【請求項１】
放水口から流れ落ちる温泉水を天井蓋付きの貯留槽に貯留し、複数の排水口に均等に分配する温泉水分配装置であって、
前記貯留槽内に上流側から下流側にかけて、前記貯留槽の底部から立ち上がり上端が水平となった下側邪魔板と、前記貯留槽の底部とは隙間を有し前記下側邪魔板より上位置に配置された上側邪魔板を交互に配置し、前記放水口から前記排水口に向かう水路をジグザグに形成し、
しかも、前記貯留槽の下流側に配置される前記複数の排水口を実質的に同一口径とすると共に、該複数の排水口を同一高さ位置に配置したことを特徴とする温泉水分配装置。
【請求項２】
請求項１記載の温泉水分配装置において、前記下側邪魔板の１つが前記貯留槽内の最上流側に配置され、しかも隣り合う前記下側邪魔板の間に設けられている前記上側邪魔板は、前記天井蓋にその上端が固着されていることを特徴とする温泉水分配装置。
【請求項３】
請求項１及び２のいずれか１項に記載の温泉水分配装置において、前記排水口を形成する排水管は、前記貯留槽の下流側壁に設けられた水平部材に載置状態で取付けられていることを特徴とする温泉水分配装置。
【発明の詳細な説明】
【技術分野】
【０００１】
本発明は、源泉から汲み上げられた温泉水を複数の需要者に均等に分配可能な温泉水分配装置に関する。
【背景技術】
【０００２】
従来、温泉水は、例えば地表から１００ｍ掘る毎に設けた源泉に、空気供給管を配置し、この空気供給管内に空気を吹き込み、圧力を加えることで汲み上げられている。
この汲み出された温泉水は、放水口を介して貯留槽内に流れ落とした後、この貯留槽に設けられた複数の排水口を介して、複数の需要者に分配されている。
また、温泉水を複数の需要者に分配する装置としては、例えば、特許文献１に開示された装置を使用することも可能である。この装置は、温泉水（液体）を貯留する貯留槽内に、貯留槽の中心から放射状に配置された複数の仕切板が設けられ、この貯留槽上方に配置された回転可能な分配管から温泉水を円周方向に放水することで、仕切板で区切られた各貯留部に温泉水を均等に分配し、各排水口から需要者に温泉水を供給する装置である。
【０００３】
【特許文献１】実開平４−４５２９９号公報（第１図）
【発明の開示】
【発明が解決しようとする課題】
【０００４】
しかしながら、前記従来の温泉水分配装置には、未だ解決すべき以下のような問題があった。
汲み出された温泉水は放水口から貯留槽に流れ落ちるため、貯留槽内の温泉水の湯面が変動し、各排水口から排水される温泉水量にばらつきが生じ易く、温泉水を各需要者に均等に分配できなかった。なお、各排水口に例えばポンプ又は流量計を設けることで、各排水口から排水される温泉水量の均一化を図ることも考えられるが、この場合、装置の製造コストが高くなり経済的でない。
また、貯留槽への温泉水の放水量は変動し易いため、特許文献１に記載された温泉水分配装置を使用しても、分配管から放水される温泉水の放水量にばらつきが生じ、各貯留部に均等に分配できず、温泉水を各需要者に均等に分配できない恐れがある。また、分配管を回転させるために電力が必要となるので、ランニングコストがかかり経済的でない。
【０００５】
本発明はかかる事情に鑑みてなされたもので、源泉から汲み上げられた温泉水を複数の需要者に均等に分配でき、しかもランニングコストがかからず経済的で、装置構成も簡単な温泉水分配装置を提供することを目的とする。
【課題を解決するための手段】
【０００６】
前記目的に沿う請求項１記載の温泉水分配装置は、放水口から流れ落ちる温泉水を天井蓋付きの貯留槽に貯留し、複数の排水口に均等に分配する温泉水分配装置であって、
前記貯留槽内に上流側から下流側にかけて、前記貯留槽の底部から立ち上がり上端が水平となった下側邪魔板と、前記貯留槽の底部とは隙間を有し前記下側邪魔板より上位置に配置された上側邪魔板を交互に配置し、前記放水口から前記排水口に向かう水路をジグザグに形成し、
しかも、前記貯留槽の下流側に配置される複数の前記排水口を実質的に同一口径とすると共に、該複数の排水口を同一高さ位置に配置した。
請求項１記載の温泉水分配装置において、貯留槽内に配置される上側邪魔板及び下側邪魔板の各枚数は、例えば、１枚ずつ、一方が１枚で他方が２枚、又はいずれも複数枚であってもよい。
また、上側邪魔板及び下側邪魔板の配置は、貯留槽内の最上流側に下側邪魔板を配置することが好ましいが、上側邪魔板を配置することも可能である。また、貯留槽内の最下流側についても、下側邪魔板を配置することが好ましいが、上側邪魔板を配置することも可能である。
【０００７】
請求項２記載の温泉水分配装置は、請求項１記載の温泉水分配装置において、前記下側邪魔板の１つが前記貯留槽内の最上流側に配置され、しかも隣り合う前記下側邪魔板の間に設けられている前記上側邪魔板は、前記天井蓋にその上端が固着されている。
請求項２記載の温泉水分配装置において、下側邪魔板の１つを貯留槽内の最上流側に配置することにより、この貯留槽の上流側壁及びその両側壁と、下側邪魔板とで囲まれる空間内に温泉水を貯留できるので、この貯留高さに応じて放水口からの温泉水の落下距離を調整できる。
【０００８】
請求項３記載の温泉水分配装置は、請求項１及び２記載の温泉水分配装置において、前記排水口を形成する排水管は、前記貯留槽の下流側壁に設けられた水平部材に載置状態で取付けられている。
請求項３記載の温泉水分配装置において、水平部材としては、例えば、アングル又は水平板がある。
【発明の効果】
【０００９】
請求項１〜３記載の温泉水分配装置は、貯留槽内に下側邪魔板と上側邪魔板を交互に配置し、放水口から排水口に向かう水路をジグザグに形成するので、放水口から流れ落ちる温泉水の衝撃を、温泉水が排水口から排水されるまでに低減し、温泉水の湯面変動を抑制、更には防止して、複数の排水口から排水される温泉水の排水量を均等にできる。これにより、複数の需要者に均等に温泉水を分配できる。
【００１０】
特に、請求項２記載の温泉水分配装置は、貯留槽の上流側壁及びその両側壁と、下側邪魔板とで囲まれる空間内に温泉水を貯留できるので、例えば、下側邪魔板の高さを放水口に近づけて温泉水の貯留高さを高くし、温泉水の落下距離を短くすることで、温泉水の湯面変動を極力低減できる。
また、上側邪魔板は、天井蓋にその上端が固着されているので、貯留槽から天井蓋を取り外す場合、天井蓋と共に上側邪魔板を貯留槽内から取り外すことができる。これにより、隣り合う下側邪魔板の間に設けられた上側邪魔板が取り外され、その部分の空間を広くできるので、例えば清掃作業を行い易い。
【００１１】
請求項３記載の温泉水分配装置は、排水口を形成する排水管を、貯留槽の下流側壁に設けられた水平部材に載置状態で取付けているので、例えば、排水管のぐらつきが防止され、長期使用による排水管の取付け位置の変動を防止できる。
【発明を実施するための最良の形態】
【００１２】
続いて、添付した図面を参照しつつ、本発明を具体化した実施の形態につき説明し、本発明の理解に供する。
ここで、図１は本発明の一実施の形態に係る温泉水分配装置の斜視図、図２は同温泉水分配装置の部分側断面図、図３（Ａ）、（Ｂ）はそれぞれ同温泉水分配装置の正面図、裏面図である。
【００１３】
図１、図２、及び図３（Ａ）、（Ｂ）に示すように、本発明の一実施の形態に係る温泉水分配装置１０は、源泉から汲み上げられた温泉水を貯留可能な、例えば、５０〜５００リットル程度の内容積を備える天井蓋１１付きの貯留槽１２を有し、この貯留槽１２に貯留された温泉水を複数の需要者に均等に分配する装置である。なお、貯留槽１２及び天井蓋１１の外面には、例えば発泡スチロール等の断熱材（図示しない）が配置され、貯留槽１２内に貯留された温泉水の温度低下を抑制している。また、この貯留槽１２の下面には、断面Ｌ字状となった支持脚１３、１４が設けられ、貯留槽１２を所定の高さ位置（例えば、３ｃｍ以上１０ｃｍ以下）に支持している。以下、詳しく説明する。
【００１４】
図１、図２、及び図３（Ｂ）に示すように、貯留槽１２の上流側壁１５の上側には、源泉から汲み上げられた温泉水を貯留槽１２内に放水するための放水口１６が形成された放水管１７が設けられている。この放水管１７は、逆Ｌ字状に貯留槽１２に取付け固定されているため、放水管１７を流れてきた温泉水を、放水口１６から貯留槽１２内へ、下方へ向けて流れ落とすことができる。
図１、図２、及び図３（Ａ）に示すように、貯留槽１２の下流側壁１８の高さ方向中央部（放水口１６の位置より低い位置）には、アングル（水平部材の一例）１９が取付けられ、このアングル１９上に排水管２０の上流側部が載置状態で複数（本実施の形態においては４個）取付けられている。これにより、各排水管２０は同一高さ位置（例えば、貯留槽１２の高さの１／３以上２／３以下の範囲内）に配置されている。なお、各排水管２０に形成された排水口２１は、実質的に同一口径（例えば、内径が１ｃｍ以上３ｃｍ以下）となっている。
【００１５】
図１、図２に示すように、貯留槽１２内の上流側から下流側にかけては、下側邪魔板２２、上側邪魔板２３、及び下側邪魔板２４が、略等間隔（例えば、１０ｃｍ以上２０ｃｍ以下）に順次配置され、下側邪魔板と上側邪魔板とが交互に配置されている。
この各下側邪魔板２２、２４は、厚みが例えば０．５ｃｍ以上１．５ｃｍ以下程度となっており、貯留槽１２の底部２５に対して略垂直（例えば、底部２５に対して９０度±５度の範囲内）に立ち上がるように、貯留槽１２の底部２５及び貯留槽１２の上流側壁１５の両側の側壁２６、２７内面に取付けられ、その上端が水平となったものである。なお、各下側邪魔板２２、２４の上端位置は同一高さであり、しかも放水管１７の放水口１６の高さ位置より僅かに低く（例えば、１ｃｍ以上１０ｃｍ以下、好ましくは１ｃｍ以上５ｃｍ以下）なっている。
【００１６】
これにより、貯留槽１２の上流側壁１５及びその両側壁２６、２７と、貯留槽１２の最上流側に配置された下側邪魔板２２とで上流側貯留部２８が形成され、貯留槽１２の両側壁２６、２７と、隣り合う２枚の下側邪魔板２２、２４とで中央貯留部２９が形成され、貯留槽１２の下流側壁１８及びその両側壁２６、２７と、貯留槽１２の下流側に配置された下側邪魔板２４とで下流側貯留部３０が形成される。
ここで、上流側貯留部２８内に貯留される温泉水の湯面と放水口１６との距離を短くするることで、落下する温泉水による湯面の変動を低減できる。また、最下流側の下側邪魔板２４の上端位置は、排水口２１より高い位置になっているので、貯留槽１２内に貯留された温泉水の湯面変動が、排水口２１へ直接伝播することを防止できる。
【００１７】
上側邪魔板２３は、厚みが例えば０．５ｃｍ以上１．５ｃｍ以下程度となっており、隣り合う下側邪魔板２２、２４の間に配置されるように、その上端が天井蓋１１の下面に固着され、貯留槽１２の内面には固着されていない。なお、貯留槽１２の上部外周にはフランジ部３１〜３４が取付けられ、この各フランジ部３１〜３４にシール材（例えば、ゴム製のパッキン）を介して天井蓋１１を載置し、貯留槽１２に天井蓋１１を複数の締結部材（例えば、ねじ又はボルト）３５で取付け固定している。
これにより、貯留槽１２から天井蓋１１を取り外すことで、上側邪魔板２３も天井蓋１１と共に、貯留槽１２から取り外すことができる。なお、上側邪魔板２３を天井蓋１１に固着することなく、上側邪魔板２３の両端を、貯留槽１２の両側壁２６、２７の内面に固着することも可能である。
【００１８】
また、上側邪魔板２３は、貯留槽１２の底部２５から、例えば５ｃｍ以上３０ｃｍ以下の隙間３６を有して設けられており、その下端が、隣り合う下側邪魔板２２、２４の上端位置よりも下方で、しかも排水口２１の位置より低い位置に配置されている。なお、隙間３６部分に、例えばゴミを捕捉するための網状部材を設けることも可能である。また、隙間３６部分に、例えば、円形状、楕円形状、又は多角形状となった開口部が形成された通水部を設け、ゴミを捕捉することも可能である。
このように、上側邪魔板２３は、隣り合う下側邪魔板２２、２４より上位置に配置されているため、放水口１６から、上流側貯留部２８、中央貯留部２９、及び下流側貯留部３０を通って排水口２１に向かう温泉水の水路が、上下方向にジグザグに形成されている。
【００１９】
図２に示すように、複数の排水管２０は片口ソケットで構成され、この排水管２０の下流側にニップル３７を取付け、更に温泉水の排水を停止可能なコック３８が設けられた管３９が取付けられている。この管３９には、各需要者に温泉水を提供するため、例えば塩化ビニル製の柔軟性を有する送液管（図示しない）が接続されている。しかし、管３９への送液管の取付けによる圧力抵抗（各温泉水の流れの不均等）を低減するため、管３９と送液管とを分離し、この送液管の上流側端部に下方へかけて縮径する漏斗（じょうご）を設け、管３９から排出され落下してきた温泉水を漏斗で受けた後、送液管を介して各需要者へ送液することが好ましい。
【００２０】
これにより、各排水口２１から均等に排水された温泉水を、各需要者に均等に供給できる。
なお、天井蓋１１、貯留槽１２、放水管１７、アングル１９、排水管２０、各下側邪魔板２２、２４、及び上側邪魔板２３は、長期の使用に耐え得るように、ステンレス（例えば、ＳＵＳ３０４）で構成されている。このため、各構成部材の取付けは、溶接によって行われている。
【００２１】
続いて、温泉水の供給方法について、前記した温泉水分配装置１０を参照しながら説明する。
まず、源泉から汲み上げられた温泉水を、放水口１６を介して貯留槽１２内に落下させることで、上流側貯留部２８に温泉水が溜まり、上流側貯留部２８に貯留される温泉水の湯面が上昇する。
このように、温泉水の湯面が上昇することで、放水口１６から落下する温泉水の落下距離が短くなり、上流側貯留部２８の温泉水の湯面変動を徐々に低減できる。
【００２２】
引き続き、放水口１６から温泉水の放水が行われることで、温泉水の湯面が、上流側に配置された下側邪魔板２２の上端位置を超える。これにより、オーバーフローした温泉水が中央貯留部２９内に流れ込み、中央貯留部２９に貯留される温泉水の湯面が上昇する。
そして、この湯面が、上側邪魔板２３に接触することで、上流側の下側邪魔板２２と上側邪魔板２３との間に生じる温泉水の湯面変動が、上側邪魔板２３と下流側の下側邪魔板２４との間の温泉水の湯面に伝播することを抑制、更には防止できる。
【００２３】
更に、放水口１６から温泉水の放水が行われることで、温泉水の湯面が、下流側に配置された下側邪魔板２４の上端位置を超える。これにより、オーバーフローした温泉水が、下流側貯留部３０に流れ込み、下流側貯留部３０に貯留される温泉水の湯面が上昇する。そして、温泉水の湯面が各排水口２１まで到達することで、各排水管２０から温泉水が排水される。
これにより、貯留槽１２内に放水された温泉水の落下衝撃による湯面変動が、排水口２１に伝播することを抑制、更には防止できるので、温泉水を各需要者に均等に分配することができる。
【００２４】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の温泉水分配装置を構成する場合も本発明の権利範囲に含まれる。
また、前記実施の形態においては、貯留槽に４個の排水口が設けられた場合について説明したが、例えば、２個、３個、又は５個以上設けることも可能である。なお、貯留槽に設ける排水口の個数が多くなるに伴い、貯留可能な温泉水の貯留量を増加させるため、貯留槽の容積を大きくし、その幅を更に広げることが好ましい。
そして、排水管の下流側には、排水管内を流れる温泉水の状態を観察するため、ガラスが取付けられたサイトグラスを設けることも可能である。これにより、排水管内に汚れが付着したことを容易に把握でき、排水管の清掃を行うことができる。
【図面の簡単な説明】
【００２５】
【図１】本発明の一実施の形態に係る温泉水分配装置の斜視図である。
【図２】同温泉水分配装置の部分側断面図である。
【図３】（Ａ）、（Ｂ）はそれぞれ同温泉水分配装置の正面図、裏面図である。
【符号の説明】
【００２６】
１０：温泉水分配装置、１１：天井蓋、１２：貯留槽、１３、１４：支持脚、１５：上流側壁、１６：放水口、１７：放水管、１８：下流側壁、１９：アングル（水平部材）、２０：排水管、２１：排水口、２２：下側邪魔板、２３：上側邪魔板、２４：下側邪魔板、２５：底部、２６、２７：側壁、２８：上流側貯留部、２９：中央貯留部、３０：下流側貯留部、３１〜３４：フランジ部、３５：締結部材、３６：隙間、３７：ニップル、３８：コック、３９：管
【図１】
2006016026.tif 000003
【図２】
2006016026.tif 000004
【図３】
2006016026.tif 000005